(57)【要約】【課題】被取付部材への設置を容易に行うことができる照明装置を提供する。【解決手段】ＬＥＤモジュール２，２…を有する照明装置本体１０と、天井等の被取付部材に設置され、照明装置本体１０を吊下げて取付ける取付体１とを備える照明装置１００において、照明装置本体１０を取付体１に吊下げて保持する保持手段と、保持された照明装置本体１０を取付体１に固定する固定手段とを備えてなる。保持手段を適切に設けることにより、照明装置１００を被取付部材に設置するときに、まず照明装置本体１０を取付体１に係合させることにより仮留めをした後に、電線の接続作業を行い、更に締結部材等の固定手段による被取付部材への固定作業を行うことが可能となるから、照明装置１００の被取付部材への設置を容易に行うことができる。【選択図】図１
2011070946.tif 000002
【特許請求の範囲】
【請求項１】
光源を有する照明装置本体と、天井等の被取付部材に設置され、前記照明装置本体を吊下げて取付ける取付体とを備える照明装置において、
前記照明装置本体を前記取付体に吊下げて保持する保持手段と、
保持された前記照明装置本体を前記取付体に固定する固定手段とを備えてなることを特徴とする照明装置。
【請求項２】
前記取付体は、前記照明装置本体に電源を供給する電線を挿通する挿通孔を有し、
前記保持手段は、前記電線を前記照明装置本体に接続するための空間を前記被取付部材との間に設けた状態で、前記照明装置本体を吊下げて保持することを特徴とする請求項１に記載の照明装置。
【請求項３】
前記光源はＬＥＤであり、
前記照明装置本体は、前記光源からの熱を放散する放熱体を備えてなることを特徴とする請求項１又は２に記載の照明装置。
【請求項４】
前記保持手段は、前記照明装置本体及び取付体の一方に設けられ、他方の側に突出する係合片と、前記他方に設けられ、前記係合片が係合する係合穴とを備えてなることを特徴とする請求項１から３の何れか一項に記載の照明装置。
【請求項５】
前記照明装置本体の周囲を囲む筒体を備え、
前記筒体及び放熱体間には、熱良導体が介挿してあることを特徴とする請求項３又は４に記載の照明装置。
【請求項６】
前記筒体は通気口を備えてなることを特徴とする請求項５に記載の照明装置。
【発明の詳細な説明】
【技術分野】
【０００１】
本発明は、光源を有する照明装置本体と、該照明装置本体を被取付部材に吊下げて取付ける取付体とを備える照明装置に関する。
【背景技術】
【０００２】
室内外の照明用途に供される照明装置として、従来、白熱電球、蛍光灯等を光源とする照明装置が用いられている。近年、発光ダイオード（以下ＬＥＤという）の高輝度化に伴い、これらの光源に代えて、低消費電力、長寿命等の特性を有するＬＥＤが照明装置の光源として用いられている。
【０００３】
そして、これらの照明装置は、設置場所、用途等に応じて、形状、設置方法等が異なっている。天井等の被取付部材に吊下げて取付けられる照明装置（所謂ダウンシーリングライト）は、例えば、筒状の形状を有し、被取付部材である天井から垂下させるように設置してある。この照明装置は、一般に、光源を有する照明装置本体と、該照明装置本体を被取付部材に取付ける取付体とを備えている（例えば、非特許文献１参照）。非特許文献１に係る照明装置は、円板状の取付体２０１と、円柱状の照明装置本体２１０と、該照明装置本体２１０の周囲を覆う円筒状のフード２０８とを備えている（図１０参照）。
【先行技術文献】
【非特許文献】
【０００４】
【非特許文献１】パナソニック電工株式会社、照明オンラインカタログ、ｐ．１９１、[online]、[２００９年９月１０日検索]、インターネット＜ＵＲＬ：http://denko.panasonic.biz/Ebox/catalog/detail/shouhin.php?at=mvdetail&ct=zentai&id=00055621&hinban=LGB51670#webcatalog＞
【発明の概要】
【発明が解決しようとする課題】
【０００５】
非特許文献１に係る照明装置においては、まず、取付体２０１をネジ２０１ｂ，２０１ｂにより天井等の被取付部材に固定し、次に、作業者が照明装置本体２１０を片手に持ちながら、照明装置の外部に設けられた電源装置から照明装置本体２１０への給電を行う電線２０１ｃを照明装置本体２１０の端子台２１０ａに接続した後、取付体２０１のボルト２０１ａ，２０１ａに照明装置本体２１０の貫通穴を挿通させて、ナット２１０ｂ，２１０ｂを螺合させることにより照明装置本体２１０を取付体２０１に固定する必要があった。その後、フード２０８を取付体２０１に取付ける。以上により被取付部材への照明装置の設置がなされる。従って、この照明装置においては、作業者は、照明装置本体２１０を片手で持ちながら、電線の接続作業及び照明装置本体２１０の被取付部材への固定作業を行う必要があり、作業性が良くないという問題があった。
【０００６】
本発明は斯かる事情に鑑みてなされたものであり、被取付部材への設置を容易に行うことができる照明装置を提供することを目的とする。
【課題を解決するための手段】
【０００７】
本発明に係る照明装置は、光源を有する照明装置本体と、天井等の被取付部材に設置され、前記照明装置本体を吊下げて取付ける取付体とを備える照明装置において、前記照明装置本体を前記取付体に吊下げて保持する保持手段と、保持された前記照明装置本体を前記取付体に固定する固定手段とを備えてなることを特徴とする。
【０００８】
本発明にあっては、照明装置本体を吊下げて取付ける取付体に前記照明装置本体を吊下げて保持する保持手段と、保持された前記照明装置本体を取付体に固定する固定手段とを備えている。保持手段を適切に設けることにより、照明装置を被取付部材に設置するときに、まず照明装置本体を取付体に保持手段により保持させることにより仮留めをした後に、電線の接続作業を行い、更に締結部材等の固定手段による照明装置本体の取付体への固定によって照明装置本体の被取付部材への固定作業を行うことが可能となるから、照明装置の被取付部材への設置を容易に行うことができる。
【０００９】
本発明に係る照明装置は、前記取付体は、前記照明装置本体に電源を供給する電線を挿通する挿通孔を有し、前記保持手段は、前記電線を前記照明装置本体に接続するための空間を前記被取付部材との間に設けた状態で、前記照明装置本体を吊下げて保持することを特徴とする。
【００１０】
本発明にあっては、電線を挿通する挿通孔を取付体に設けており、前記電線を照明装置本体に接続するための空間を被取付部材との間に設けた状態にて照明装置本体を吊下げて保持するように保持手段を設けている。このように作業空間を確保するように保持手段によって照明装置本体を取付体に仮留めしているから、取付体に設けた挿通孔を挿通された電線を照明装置本体に接続することが容易である。
【００１１】
本発明に係る照明装置は、前記光源はＬＥＤであり、前記照明装置本体は、前記光源からの熱を放散する放熱体を備えてなることを特徴とする。
【００１２】
本発明にあっては、光源としてＬＥＤを用い、光源からの熱を放散する放熱体を照明装置本体に設けている。これにより、例えば、金属製の放熱体を用いる等、放熱体が重い場合においても、保持手段により仮留めされて作業者が照明装置本体を保持する必要がないから、照明装置の被取付部材への設置を容易に行うことができる。
【００１３】
本発明に係る照明装置は、前記保持手段は、前記照明装置本体及び取付体の一方に設けられ、他方の側に突出する係合片と、前記他方に設けられ、前記係合片が係合する係合穴とを備えてなることを特徴とする。
【００１４】
本発明にあっては、照明装置本体及び取付体の一方に設けられた係合片を、他方に設けられた係合穴に係合させることにより照明装置本体を取付体に係合させて保持するように保持手段を構成してある。照明装置を被取付部材に設置するときに、まず係合片を係合穴に係合させるという簡易な作業により照明装置本体を取付体に仮留めをして、電線の接続作業、締結部材等による被取付部材への固定作業を行うことが可能となるから、照明装置の被取付部材への設置を容易に行うことができる。
【００１５】
本発明に係る照明装置は、前記照明装置本体の周囲を囲む筒体を備え、前記筒体及び放熱体間には、熱良導体が介挿してあることを特徴とする。
【００１６】
本発明にあっては、光源からの熱を放散する放熱体と、照明装置本体の周囲を囲む筒体との間に可撓性を有する熱良導体が介挿してある。光源からの熱は放熱体及び筒体間に介挿された熱良導体を介して筒体に効率的に伝達され、筒体の外面から外気に放散されるから、放熱を効率的に行うことができる。
【００１７】
本発明に係る照明装置は、前記筒体は通気口を備えてなることを特徴とする。
【００１８】
本発明にあっては、筒体に通気口を設けている。光源からの熱により照明装置本体及び筒体間の空気が温められたとき、通気口から流出入する空気による自然対流によって、放熱を効率的に行うことができる。
【発明の効果】
【００１９】
本発明によれば、被取付部材への照明装置の設置を容易に行うことができる。
【図面の簡単な説明】
【００２０】
【図１】本発明の実施の形態１に係る照明装置の模式的分解斜視図である。
【図２】実施の形態１に係る照明装置の模式的組立図である。
【図３】実施の形態１に係る照明装置の上面図である。
【図４】実施の形態１に係る照明装置の下面図である。
【図５】実施の形態１に係る照明装置の主要部の部分断面図である。
【図６】本発明の実施の形態２に係る照明装置の模式的分解斜視図である。
【図７】実施の形態２に係る照明装置の主要部の部分断面図である。
【図８】実施の形態２に用いられる熱良導体の説明図である。
【図９】本発明に係る係合腕部の他の例を示す図である。
【図１０】従来の照明装置の模式的分解斜視図である。
【発明を実施するための形態】
【００２１】
以下、本発明をその実施の形態を示す図面に基づいて、天井等の被取付部材に吊下げて取付けられる照明装置（所謂ダウンシーリングライト）を例に、詳述する。
（実施の形態１）
図１は、本発明の実施の形態１に係る照明装置１００の模式的分解斜視図である。図２は、実施の形態１に係る照明装置１００の模式的組立図である。図３は、実施の形態１に係る照明装置１００の上面図である。図４は、実施の形態１に係る照明装置１００の下面図である。図５は、実施の形態１に係る照明装置１００の主要部の部分断面図である。
【００２２】
図において１は、アルミニウム等の金属製の取付体である。取付体１は、天井等の被取付部材に取付けられる取付板部１１を備えている。取付板部１１は、円板状をなし、中央部には、電源ケーブル用の円形穴１１ａが設けてある。また、取付板部１１の円形穴１１ａ及び周縁部間には、２つの長穴１１ｂ，１１ｃが周方向に２等配をなして設けてある。一方の長穴１１ｂの長手方向は、他方の長穴１１ｃの長手方向と略９０°異ならせてある。本発明に係る照明装置は、後述するように、被取付部材である天井上に設けられた梁又はアングル等にその一端が固定された２つの吊りボルトの他端に取付板部１１を固定することによって天井に保持される。吊りボルトを挿通させる取付板部１１に設ける貫通穴を前述したような長穴１１ｂ，１１ｃにすることにより、２つの吊りボルトの位置関係に若干のずれがあっても、天井に照明装置を取付けることができる。
【００２３】
取付板部１１の周縁部には、該取付板部１１に直交する方向に同方向に延設された複数の係合板部１２，１２…が周方向に３等配をなして設けてある。係合板部１２には、後述する照明装置本体の係合腕部に設けられた係合片が係合する係合穴１２ａが設けてある。これら係合片及び係合穴１２ａが、後述するように照明装置本体１０を取付体１に吊下げて保持する保持手段として機能する。係合穴１２ａは、取付板部１１の側が幅広であるＴ字形を有している。また係合板部１２には、係合穴１２ａと適長離隔して雌螺子部１２ｂが設けてある。
【００２４】
この取付体１には、照明装置本体１０が取付けられる。照明装置本体１０は、光源であるＬＥＤモジュール２，２…と、ＬＥＤモジュール２，２…からの熱を放散する放熱体であるヒートシンク３と、ＬＥＤモジュール２，２…の光出射方向に設けられ、ＬＥＤモジュール２，２…からの光を反射する反射板４と、ＬＥＤモジュール２，２…の光出射方向に設けられた化粧枠５と、反射板４及び化粧枠５間に介挿された透光板６とを備えている。
【００２５】
ＬＥＤモジュール２は、図４に示すように、矩形のセラミック（例えば、酸化アルミニウム）基板２１と、該セラミック基板２１の一面の中央部に密集して実装された複数のＬＥＤ素子及び該複数のＬＥＤ素子を封止し、蛍光体が分散された封止樹脂を有する発光部２２と、入力端子及び出力端子とを備えてなる。
【００２６】
ヒートシンク３は、アルミニウム等の金属製である。ヒートシンク３は、略円板状の伝熱板３１と、該伝熱板３１の一面３１ａに平行をなして立設された矩形板状の複数の放熱板３２，３２…と、複数の放熱板３２，３２…を連結する連結板３３とを備えている。このヒートシンク３の伝熱板３１の周縁部には、矩形板状の固定部３４，３４…が伝熱板３１の径方向に直交するように、周方向に３等配をなして立設してある。固定部３４には、ネジ用穴３４ａ，３４ｂが上下に並設してある。この固定部３４，３４…は、放熱板３２，３２…に夫々連設されて一体的に構成されている。なお、ヒートシンク３は、ダイキャストにより一体成形してもよいし、押出加工又は切削加工により形成してもよい。
【００２７】
ヒートシンク３の伝熱板３１の他面３１ｂには、前述したＬＥＤモジュール２，２…が周方向に等配をなして取付けてある。なお、ＬＥＤモジュール２，２…と伝熱板３１との間には、熱伝導シート又はグリースが介装してあることが望ましい。これらＬＥＤモジュール２，２…の点灯に伴い該ＬＥＤモジュール２，２…において発生する熱は、ヒートシンク３の伝熱板３１、放熱板３２，３２…及び連結板３３に伝達される。
【００２８】
ヒートシンク３の伝熱板３１の他面３１ｂには、反射板４が設けてある。反射板４には、該反射板４をヒートシンク３に取付けたときにＬＥＤモジュール２，２…に対応する位置に、ＬＥＤモジュール２，２…を取り囲むように、半球状の凹部を有する複数の反射部４１，４１…が形成してある。
【００２９】
反射板４の周縁には周壁４２が立設してある。反射板４は、周壁４２の端面を伝熱板３１に当接させて、ネジ等によりヒートシンク３に固定してある。このような反射板４により、ＬＥＤモジュール２，２…からの光は、反射板４の反射部４１，４１…にて反射されて、照明装置の直下照度が強くなる配光特性を有することになる。
【００３０】
ヒートシンク３の伝熱板３１の側には、化粧枠５が設けてある。化粧枠５は、円筒部５１と、円筒部５１の一端から直交する方向に径方向外側に延設された環状の鍔部５２とを備えている。円筒部５１には、周方向の３カ所から延設された延設部５１ａ，５１ａ…が設けてあり、該延設部５１ａ，５１ａ…には、ネジ用穴５１ｂ，５１ｂ…が設けてある。このネジ用穴５１ｂ，５１ｂ…は化粧枠５をヒートシンク３に取付けたときにヒートシンク３の固定部３４，３４…に設けられたネジ用穴３４ｂ，３４ｂ…に対応する位置に夫々設けてある。
【００３１】
なお、化粧枠５の円筒部５１は、後述するフードの環状部が当接する鍔部５２と適長離隔した位置にＬＥＤモジュール２，２…が位置するように、換言すると光源であるＬＥＤモジュール２，２…が発光する発光面と照明装置から外部へ光が出射する光出射面とが適長離隔するように構成してある。これにより、ＬＥＤモジュール２，２…からの光は、反射板４に加えて、化粧枠５の円筒部５１の内面にて反射されることになるから、照明装置の直下照度が更に強くなるように配光特性が制御された光が照明装置から出射することになる。この結果、グレアを低減することができる。なお、ＬＥＤモジュール２，２…と鍔部５２との間隔、換言すると発光面と光出射面との間隔は、遮光角を確保してグレアを低減すべく、照明装置の設置場所に応じて適切に設定してある。そして、化粧枠５の色を灰色にすることが、グレア低減の観点からより望ましい。
【００３２】
この化粧枠５は、円筒部５１の他端の側に反射板４を内嵌させて、延設部５１ａ，５１ａ…をヒートシンク３の固定部３４，３４…に当接させた状態にて、ネジ５３，５３…を延設部５１ａ，５１ａ…に設けられたネジ用穴５１ｂ，５１ｂ…及びヒートシンク３の固定部３４，３４…に設けられたネジ用穴３４ｂ，３４ｂ…に螺合させることによりヒートシンク３に固定してある。これら反射板４及び化粧枠５間には、円板状を有する透光板６がＬＥＤモジュール２，２…を覆うように設けてある。透光板６は、例えば、ポリカーボネート樹脂製である。
【００３３】
以上のように一体化された照明装置本体１０には、可撓性を有する係合腕部７が複数設けてある。係合腕部７は、アルミニウム等の金属製であり、矩形板を屈曲形成してなる。係合腕部７は、一端部（先端部）に、係合板部１２に設けられたＴ字状の係合穴１２ａに係合する係合片７１を備えている。係合片７１は、Ｔ字状の外形を有する平板であり、幅広の方が端部となり、矩形板状の取付体固定部７２の一側に該取付体固定部７２に略直交するように設けてある。取付体固定部７２の他側には、該取付体固定部７２に鈍角をなして延設された延設部７３が設けてあり、該延設部７３には、矩形板状のヒートシンク固定部７４が連設してある。ヒートシンク固定部７４は、中央部にネジ用穴７４ａを有している。この係合腕部７は、ヒートシンク固定部７４をヒートシンク３の固定部３４に当接させ、ネジ用穴７４ａ及びネジ用穴３４ａにネジ３５を螺合することにより、ヒートシンク３に一体化してある。取付体固定部７２には、後述するように係合腕部７を取付体１に係合させたときに、係合板部１２に設けられた雌螺子部１２ｂに整合するように、ネジ用穴７２ａが設けてある。なお、係合腕部７，７…は、複数の係合腕部７，７…のうち１つを取付体１に係合させて、照明装置本体１０を取付体１に吊り下げて保持することにより、仮留めするときに、天井１１０との間に電源ケーブルを照明装置本体１０に接続するための空間を確保すべく、適切に形状が決定してある。また、取付体固定部７２は、以下に述べるフードの内周面に沿うように緩やかに湾曲させてある方が伝熱面積を大とすることができ、放熱性向上の観点から望ましい。
【００３４】
また、照明装置本体１０には、その中心線が照明装置本体１０の吊下げ方向と平行をなす筒体であるフード８が照明装置本体１０の周囲を囲むように設けてある。フード８は、円筒部８１と、該円筒部８１の一端から直交する方向に径方向内側に延設された環状部８２とを備えており、アルミニウム等の金属製である。円筒部８１の他端側には、ネジ用穴８１ａ，８１ａ…が周方向に３等配をなして設けてある。
【００３５】
また、照明装置本体１０には、電源装置９が接続してある。電源装置９には、電源ケーブル９１の一端が接続してあり、電源ケーブル９１の他端は、第１のコネクタ（図示せず）に接続してある。この第１のコネクタには、コネクタカバーの第１カバー構成体９２が設けてある。第１カバー構成体９２は、第１のコネクタの少なくとも一部を内部に収容可能な円筒部をその一端側に有している。
【００３６】
一方、ＬＥＤモジュール２，２…には、伝熱板３１の中央部に設けられた貫通穴を挿通させた電源ケーブル９６の一端が接続してあり、電源ケーブル９６の他端は、第１のコネクタに嵌合する第２のコネクタ９６ａに接続してある。この第２のコネクタ９６ａにはコネクタカバーの第２カバー構成体９７が設けてある。第２カバー構成体９７は、第２のコネクタの少なくとも一部を内部に収容可能な円筒部をその一端側に有している。これら第１カバー構成体９２及び第２カバー構成体９７は、円筒部にて相互に係合可能に構成してあり、相互に接続された状態の第１のコネクタ及び第２のコネクタ９６ａを内部に収容可能なように、適切に形成してある。なお、電源ケーブル９１，９６は、複数のリード線を保護チューブにより一本に纏めてなり、該保護チューブの外周面には金属線の保護スプリングが外嵌させてある。
【００３７】
以上のように構成された照明装置１００は、以下の手順により、被取付部材である天井１１０に取付けられる。まず、電源装置９を天井１１０の上面１１０ｂに配置する。次に、取付体１を天井１１０上に設けられた２つの吊りボルト１１２，１１２に固定する。各吊りボルト１１２，１１２は、ワッシャ１１３を介して第１のナット１１４及び第２のナット１１５を締結することによりその一端がアングル１１１に予め固定してある。この吊りボルト１１２，１１２の他端を取付体１の取付板部１１の長穴１１ｂ，１１ｃに挿通させ、取付体１の取付板部１１を天井１１０の下面１１０ａに当接させた状態にて、ワッシャ１１３を介して第１のナット１１４及び第２のナット１１５を締結する。これにより、取付体１が吊りボルト１１２，１１２により天井１１０に取付けられる。なお、第１のナット１１４及び第２のナット１１５を用いて所謂ダブルナットにて固定することにより、ナットが緩むことを防止している。
【００３８】
次に、この取付体１に、前述したように一体化された照明装置本体１０を、ヒートシンク３にその他端部にて固定された複数（本実施の形態においては３つ）の係合腕部７，７…のうち１つを、取付体１に係合させることにより、吊下げて保持して仮留めする。より詳細には、係合腕部７の先端部に設けられた係合片７１を、取付体１の係合板部１２に設けられた係合穴１２ａに係合板部１２の外側から挿入して、係合片７１を係合穴１２ａに係合させることによって、１つの係合腕部７及び係合板部１２間の係合により照明装置本体１０を保持することによって照明装置本体１０を天井１１０に仮留めする。なお、係合状態において、Ｔ字状の係合片７１の狭くなった部分がＴ字状の係合穴１２ａの狭くなった部分に係合しているから、水平方向の力が照明装置本体１０に加わった場合にも、係合が解除されることなく、係合状態が維持される。
【００３９】
この仮留め状態にて、電源ケーブル９１，９６を接続する。この接続は、第１のコネクタ及び第２のコネクタ９６ａを嵌合した後、第１カバー構成体９２及び第２カバー構成体９７を相互に係合することによりなされる。次に、他の２つの係合腕部７，７を順次取付体１に係合させる。より詳細には、係合腕部７の先端部を照明装置本体１０から離隔する方向に撓めて、係合片７１を取付体１の係合板部１２に設けられた係合穴１２ａに外側から挿入して係合させる。
【００４０】
このように３つの係合腕部７，７…にて照明装置本体１０が天井１１０に仮留めされた状態において、フード８を照明装置本体１０の下側から被せる。フード８のネジ用穴８１ａ，８１ａ…を係合腕部７のネジ用穴７２ａ，７２ａ…に整合させて固定手段としてのネジ８３，８３…をこれらネジ用穴８１ａ，７２ａに挿通させ、雌螺子部１２ｂに螺合することにより、フード８、照明装置本体１０及び取付体１を固定する。
【００４１】
以上のように本実施の形態に係る照明装置１００においては、照明装置１００を天井１１０等の被取付部材に設置するときに、まず照明装置本体１０を取付体１に保持手段（係合片７１及び係合穴１２ａ）により吊下げて保持することにより仮留めした後に、電源ケーブル９１，９６の接続作業を行い、更にネジ等の締結部材（固定手段）を用いた天井１１０への固定作業を行うことができるから、照明装置１００の天井１１０への設置を容易に行うことができる。
【００４２】
また、電源ケーブル９１，９６の接続作業のための空間を天井１１０との間に設けた状態にて照明装置本体１０を取付体１に吊下げて保持するように保持手段を構成しているから、電源ケーブル９１，９６の接続作業が容易である。
【００４３】
また、本実施の形態においては、アルミニウム等の金属製のヒートシンク３を用いており、金属製のヒートシンクを用いた場合（ヒートシンクが重い場合）において、前述したように保持手段により仮留めされて作業者が照明装置本体１０を保持する必要がないから照明装置１００の天井１１０への設置を容易に行うことができる。
【００４４】
そして、本発明に係る照明装置１００は、取付体１が、被取付部材である天井１１０に取付けられる取付板部１１と、該取付板部１１に交叉する方向に取付板部１１から延設され、係合穴１２ａを有する複数の係合板部１２，１２…とを備え、照明装置本体１０が、先端部に係合片７１が夫々設けられ、可撓性を有する複数の係合腕部７，７…を備えているから、複数のうち１つの係合片７１を係合穴１２ａに係合させることにより、照明装置本体１０を取付体１に係合腕部７により保持することができる。このように係合片７１を係合穴１２ａに係合させるという簡易な作業により、照明装置本体１０を天井１１０に容易に仮留めをすることができる。これにより、電源ケーブル９１，９６の接続作業、ネジ等の締結部材を用いた天井１１０への固定作業を行うことが容易となる。また、係合腕部７は可撓性を有しているから、係合腕部７を撓めることにより係合片７１を係合穴１２ａに容易に係合させる又は係合を解除することができる。
【００４５】
フード８を照明装置本体１０の周囲を囲むように設けてあるから、美観に資する。
【００４６】
（実施の形態２）
図６は、本発明の実施の形態２に係る照明装置１００ａの模式的分解斜視図である。図７は、実施の形態２に係る照明装置１００ａの主要部の部分断面図である。ヒートシンク３とフード８ａとの間には、可撓性を有する熱良導体３６が設けてある。熱良導体３６は、アルミニウム等の金属製である。
【００４７】
図８は、実施の形態２に用いられる熱良導体３６の説明図である。熱良導体３６は、矩形状の平板部３６ａと、該平板部３６ａの平行をなす２辺から平板部３６ａに鈍角をなして延びる延設部３６ｂ，３６ｂと、該延設部３６ｂ，３６ｂの延設端から互いに近接する方向に延設された当接部３６ｃ，３６ｃとを備えている。熱良導体３６は、図７に示すように、ヒートシンク３の固定部３４と係合腕部７のヒートシンク固定部７４との間に平板部３６ａにて挟持されて、ヒートシンク３の固定部３４にネジ３５により固定してある。
【００４８】
このように構成された照明装置本体１０ａにフード８ａを取付けたときに、可撓性を有する熱良導体３６は、延設部３６ｂ及び当接部３６ｃがフード８の円筒部８１の形状に応じて変形するから、当接部３６ｃが円筒部８１の内周面に適長に亘って当接することになる（図８（ｂ）参照）。
【００４９】
この当接部３６ｃの外面及び係合腕部７の取付体固定部７２の外面には、図７に示すように、熱伝導シート３７，３７，８４が夫々設けてある。熱伝導シート３７，８４は、絶縁性を有する熱良導体であり、例えば、フィラーとして金属酸化物を適量含むシリコーン系樹脂製である。
【００５０】
また、フード８ａの円筒部８１の両端部には、周方向に略等配をなして複数の円形穴を設けてなる通気口８１ｂ，８１ｃが夫々設けてある。なお、図７においては、通気口の図示を省略している。
【００５１】
また、このフード８ａの外周面は塗装してある。適切に塗装することにより、放射率を高くして輻射による熱エネルギの伝達を増大させることができ、放熱性を向上することができる。また、塗装により、腐食を防止することができる。その他の構成は、図１及び図５に示す実施の形態１と同様であるため、対応する構成部材に図１及び図５と同一の参照符号を付して、その構成の詳細な説明を省略する。
【００５２】
以上のように本実施の形態に係る照明装置１００ａにおいては、フード８ａとヒートシンク３との間に熱良導体３６を介挿してあるから、ＬＥＤモジュール２，２…からの熱は、ヒートシンク３及びフード８ａ間に介挿された熱良導体３６を介してフード８ａに効率的に伝達され、フード８ａの外面から外気に放散される。この結果、放熱を効率的に行うことができる。また、可撓性を有する熱良導体３６を用いているから、フード８ａとヒートシンク３の間に容易に熱良導体３６を介挿することができるとともに、当接状態を維持することができる。さらに、熱良導体３６の当接部３６ｃの外面及び係合腕部７の取付体固定部７２の外面には、熱伝導シート３７，３７，８４が夫々設けてあるから、ＬＥＤモジュール２，２…からの熱をフード８ａに効率的に伝達することができる。
【００５３】
また、フード８ａの円筒部８１の両端部に通気口８１ｂ，８１ｃを設けているから、ＬＥＤモジュール２，２…からの熱により照明装置本体１０ａ及びフード８ａ間の空気が温められ、温められた空気がフード８ａの円筒部８１に沿って上昇して上端部に設けられた通気口８１ｃから流出する一方、フード８ａの円筒部８１の下端部に設けられた通気口８１ｂから流入する自然対流が生じる。これにより、放熱を効率的に行うことができる。
【００５４】
なお、本実施の形態においては、熱良導体３６を設け、フード８ａに通気口８１ｂ，８１ｃを設けているが、熱良導体又は通気口のどちらか一方のみでも放熱性を向上することは可能である。また、通気口８１ｂ，８１ｃの形状を円形としているが、これに限定されず、楕円形でもよいし、多角形状でもよい。フード８ａの上端部に設ける通気口８１ｃに代えて、円筒部８１と取付体１との間に隙間を設けてもよい。熱良導体の形状及び材質は、前述の形状及び材質に限定されず、フードの円筒部の内周面に適長に亘って当接可能な形状であればよく、また可撓性を有し、熱伝導性の良い材料製であればよい。
【００５５】
なお、以上の実施の形態においては、照明装置本体を取付体に連結する係合腕部及び取付体の取付板部を３組設けているが、これに限定されず、複数であればよい。
【００５６】
また、照明装置本体を取付体に連結する係合腕部の形状は、前述の形状に限定されず、照明装置本体と取付体とを連結可能な形状であればよい。フードの内部に生じる自然対流を阻害しないような形状であることが望ましい。
【００５７】
図９は、本発明に係る係合腕部の他の例を示す図である。係合腕部７ａは、平行な２つの矩形板部７７，７９と該２つの矩形板部７７，７９を連結する連結板部７８とを備えている。なお、係合片の図示は省略しているが、係合片は一方の矩形板部７７に設けられる。
【００５８】
この係合腕部７ａは、他方の矩形板部７９にてヒートシンク３の固定部３４に取付けられ、一方の矩形板部７７にて取付体１の係合板部１２に取付けられる。この構成により、ＬＥＤモジュール２，２…からの熱により照明装置本体１０ａ及びフード８ａ間の空気が温められ、温められた空気がフード８ａの円筒部８１に沿って上昇して上端部に設けられた通気口８１ｃから流出する一方、フード８ａの円筒部８１の下端部に設けられた通気口８１ｂから流入する自然対流が生じたときに、係合腕部７ａに沿って空気が流れるから、自然対流を阻害せずにすむ。
【００５９】
なお、以上の実施の形態においては、照明装置本体を取付体に吊下げて保持する保持手段として、前述した係合手段を用いているが、これに限定されず、保持手段は、照明装置本体を取付体に吊下げて保持することが可能な構成であればよい。
【００６０】
また、以上の実施の形態においては、電源装置を照明装置本体の外部に設けた照明装置について説明したが、電源装置を照明装置本体の内部に設けた場合においても同様に、前述したような照明装置本体の被取付部材への仮留め構造を適用することが可能である。
【００６１】
また、以上の実施の形態においては、光源として複数のＬＥＤ素子が実装されてなるＬＥＤモジュール２，２…を用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００６２】
また、以上の実施の形態においては、天井等の被取付部材に吊下げて取付けられる照明装置の照明装置本体の被取付部材への仮留め構造について述べたが、この構造は、このような照明装置に限定されず、他のタイプの照明装置、照明装置以外の被取付部材に吊下げて取付けられる機器にも適用可能であり、その他、特許請求の範囲に記載した事項の範囲内において種々変更した形態にて実施することが可能であることは言うまでもない。
【符号の説明】
【００６３】
１  取付体
１１  取付板部
１２  係合板部
１２ａ  係合穴（保持手段）
２  ＬＥＤモジュール（光源）
３  ヒートシンク（放熱体）
３６  熱良導体
７  係合腕部
７１  係合片（保持手段）
８，８ａ  フード（筒体）
８１ｂ，８１ｃ  通気口
８３  ネジ（固定手段）
１０，１０ａ  照明装置本体
【図１】
2011070946.tif 000003
【図２】
2011070946.tif 000004
【図３】
2011070946.tif 000005
【図４】
2011070946.tif 000006
【図５】
2011070946.tif 000007
【図６】
2011070946.tif 000008
【図７】
2011070946.tif 000009
【図８】
2011070946.tif 000010
【図９】
2011070946.tif 000011
【図１０】
2011070946.tif 000012